(57)【特許請求の範囲】
【請求項１】
本体を備えたヘアケア機器であって、前記本体は、
外壁と、
内壁と、
前記外壁と前記内壁との間に配置されたガスケットと、を有し、
前記ガスケットは、前記外壁と前記内壁との間に延びるシールと、前記内壁から前記外壁まで半径方向に延びて前記外壁と協働して前記外壁内における前記内壁の同心性を維持する中心化機能部とを含み、
前記内壁は、該内壁の半径方向外面の周囲で半径方向に延びるフランジを含む、
ことを特徴とするヘアケア機器。
【請求項２】
前記ガスケットは、該ガスケットを前記フランジに対して位置付けるための位置決め機能部をさらに含む、
請求項１に記載のヘアケア機器。
【請求項３】
前記位置決め機能部は、前記ガスケットの内面の周囲で半径方向に延びる凹部を含み、該凹部は、前記フランジを収容するように適合される、
請求項２に記載のヘアケア機器。
【請求項４】
前記位置決め機能部は、前記ガスケットの内面の周囲で半径方向に延びる突出部を含み、前記ガスケットは、前記内壁に取り付けられた時に、前記フランジが前記突出部上を通過して前記凹部内に収まることができるように変形する、
請求項３に記載のヘアケア機器。
【請求項５】
前記ガスケットは、前記ガスケットの上流端の周囲に延びるさらなるシールを含む、
請求項１から４のいずれか１項に記載のヘアケア機器。
【請求項６】
前記外壁は上流端を含み、前記さらなるシールは、前記外壁の前記上流端に係合する、請求項５に記載のヘアケア機器。
【請求項７】
前記外壁は、第１の部分及び第２の部分を含み、該第２の部分は、前記外壁の前記上流端を含む、
請求項６に記載のヘアケア機器。
【請求項８】
前記第１の部分は、前記シール及び前記中心化機能部に係合する、
請求項７に記載のヘアケア機器。
【請求項９】
前記第２の部分は、フランジを有する環状部を含み、前記第１の部分は、協働的突出部を含み、前記フランジは、前記第１の部分からの協働的突出部に接して係合する、
請求項７又は８に記載のヘアケア機器。
【請求項１０】
前記さらなるシールは、前記フランジを前記協働的突出部に対して付勢する、
請求項９に記載のヘアケア機器。
【請求項１１】
前記中心化機能部は、前記内壁から前記外壁に延びる凸面を含む、
請求項１から１０のいずれか１項に記載のヘアケア機器。
【請求項１２】
前記凸面は、半球状である、
請求項１１に記載のヘアケア機器。
【請求項１３】
前記外壁は内面を有し、該内面は、協働的中心化機能部を含む、
請求項１から１２のいずれか１項に記載のヘアケア機器。
【請求項１４】
前記協働的中心化機能部は、前記内面の周囲に半径方向に配置された複数の離散的接点を含む、
請求項１３に記載のヘアケア機器。
【請求項１５】
本体を備えたヘアケア機器であって、前記本体は、
外壁と、
内壁と、
前記外壁と前記内壁との間に配置されたガスケットと、を有し、
前記ガスケットは、前記外壁と前記内壁との間に延びるシールと、前記内壁から前記外壁に向かって延びる中心化機能部とを含み、
前記内壁は、該内壁の半径方向外面の周囲で半径方向に広がるフランジを含み、
前記外壁は内面を有し、該内面は、協働的中心化機能部を含み、該協働的中心化機能部は、前記内面の周囲に半径方向に配置された複数の離散的接点を含む、
ことを特徴とするヘアケア機器。
【請求項１６】
前記協働的中心化機能部は、前記内壁に向かって前記内面の半径方向内向きに延びる少なくとも３つのリブを含む、
請求項１４又は１５に記載のヘアケア機器。
【請求項１７】
前記少なくとも３つのリブは、４つのリブを含む、
請求項１６に記載のヘアケア機器。
【請求項１８】
前記中心化機能部は、前記協働的中心化機能部のみと係合する、
請求項１３から１７のいずれか１項に記載のヘアケア機器。
【請求項１９】
前記シールは、前記ガスケットの周囲に連続して延びる、
請求項１から１８のいずれか１項に記載のヘアケア機器。
【請求項２０】
前記シールは、前記外壁と前記内壁との間に連続して延びる、
請求項１から１９のいずれか１項に記載のヘアケア機器。
【請求項２１】
前記ヘアケア機器は、ヘアドライヤである、
請求項１から２０のいずれか１項に記載のヘアケア機器。
【発明の詳細な説明】
【技術分野】
【０００１】
本発明は、手持型機器に関し、特にヘアケア機器、及びこのような機器からの流体出口に関する。
【背景技術】
【０００２】
塗料又は毛髪などの物質の乾燥、及び表層の洗浄又は除去などの様々な用途には、送風機、特に温風送風機が使用される。また、髪を濡れた状態又は乾いた状態から整えるためにも、高温整髪ブラシなどの温風送風機が使用される。
【０００３】
一般的には、本体に流体を吸い込むモータ及びファンが設けられ、流体を本体から排出する前に加熱することができる。モータは、ほこり又は毛髪などの異物によって損傷を受け易く、従って通常はブロワへの流体吸気口にフィルタが設けられる。従来、このような機器は、機器から排出される流体流の形状及び速度を変化させる、取り付け及び取り外しが可能なノズルを備える。このようなノズルは、その時のユーザの要求に応じて、機器の流出を集中させたり、又は流出を拡散させたりするために使用することができる。
【発明の概要】
【課題を解決するための手段】
【０００４】
第１の態様によれば、本発明は、本体を備えたヘアケア機器であって、本体は、外壁と、内壁と、外壁と内壁との間に配置されたガスケットとを有し、ガスケットは、外壁と内壁との間に延びるシールと、内壁から外壁に向かって延びる中心化機能部とを含むヘアケア機器を提供する。
【０００５】
中心化機能部は、内壁から外壁に延びる凸面を含むことが好ましい。
【０００６】
好ましい実施形態では、この凸面が半球状である。
【０００７】
外壁は内面を有し、内面は、協働的中心化機能部を含むことが好ましい。
【０００８】
好ましい実施形態では、協働的中心化機能部が、内面の周囲に半径方向に配置された複数の離散的接点を含む。
【０００９】
協働的中心化機能部は、内壁に向かって内面の半径方向内向きに延びる少なくとも３つのリブを含むことが好ましい。
【００１０】
好ましい実施形態では、少なくとも３つのリブが４つのリブを含む。
【００１１】
中心化機能部は、協働的中心化機能部のみと係合することが好ましい。
【００１２】
好ましい実施形態では、シールが、ガスケットの周囲に連続して延びる。
【００１３】
シールは、外壁と内壁との間に連続して延びることが好ましい。
【００１４】
好ましい実施形態では、内壁が、内壁の半径方向外面の周囲で半径方向に延びるフランジを含む。
【００１５】
ガスケットは、ガスケットをフランジに対して位置付けるための位置決め機能部をさらに含むことが好ましい。
【００１６】
好ましい実施形態では、位置決め機能部が、ガスケットの内面の周囲で半径方向に延びる、フランジを収容するように適合された凹部を含む。
【００１７】
位置決め機能部は、ガスケットの内面の周囲で半径方向に延びる突出部を含み、ガスケットは、内壁に取り付けられた時に、フランジが突出部上を通過して凹部内に収まることができるように変形することが好ましい。
【００１８】
好ましい実施形態では、ガスケットが、ガスケットの上流端の周囲に延びるさらなるシールを含む。
【００１９】
外壁は、上流端を含み、さらなるシールは、外壁の上流端に係合することが好ましい。
【００２０】
好ましい実施形態では、外壁が、第１の部分及び第２の部分を含み、第２の部分は、外壁の上流端を含む。
【００２１】
第１の部分は、シール及び中心化機能部に係合することが好ましい。
【００２２】
好ましい実施形態では、第２の部分が、フランジを有する環状部を含み、第１の部分は、協働的突出部を含み、フランジは、第１の部分からの協働的突出部に接して係合する。
【００２３】
さらなるシールは、フランジを協働的突出部に対して付勢することが好ましい。
【００２４】
機器は、ヘアドライヤであることが好ましい。
【００２５】
以下、添付図面を参照しながら本発明を一例として説明する。
【図面の簡単な説明】
【００２６】
【図１】本発明による機器の斜視図である。
【図２】図１の機器の断面図である。
【図３】本発明によるガスケットの断面図である。
【図４ａ】本発明による機器の一部の拡大断面図である。
【図４ｂ】本発明による機器の一部のさらなる拡大断面図である。
【図５】本発明による機器の本体の第２の端部の内部図である。
【発明を実施するための形態】
【００２７】
図１及び図２に、ハンドル２０及び本体３０を備えたヘアドライヤ１０を示す。ハンドルは、本体３０に接続された第１の端部２２と、本体３０からの遠位側に存在する、一次流体入口４０を含む第２の端部２４とを有する。ヘアドライヤ１０には、ケーブル５０を介して電力が供給される。ケーブル５０のヘアドライヤ１０からの遠位端には、例えば主電源又はバッテリパックへの電気的接続をもたらすプラグ（図示せず）が設けられる。
【００２８】
ハンドル２０は、本体３０からハンドルの遠位端２４の方に延びる外壁２００を有する。ハンドルの遠位端２４では、外壁２００を横切って端壁２１０が広がる。ケーブル５０は、この端壁２１０を通じてヘアドライヤに入り込む。ハンドル２０の一次流体入口４０は、ハンドル２０の遠位端２４から延びる一連の行及び／又は列の形でハンドルの外壁２００に沿ってその周囲に広がる第１の開口部４２と、ハンドル２０の端壁２１０を貫いてその全体に広がる第２の開口部４６とを有する。ケーブル５０は、端壁２１０のほぼ中央に位置し、従ってハンドル２０の中心から延びる。ハンドル２０は、長手方向軸Ｘ−Ｘを有し、外壁２００は、この軸に沿って本体３０から遠位端２４に向かって延びる。
【００２９】
ケーブル５０は、ユーザの手の中のハンドル２０の向きに関係なくヘアドライヤの平衡が保たれるという理由で、ハンドル２０の中心から延びることが好ましい。また、ユーザがハンドル２０上で手の位置を動かした場合でも、手に対するケーブル５０の位置が変化しないので、ケーブル５０から引っ張られることがない。仮にケーブルの中心をずらしてハンドルの片側に近付けた場合、ヘアドライヤの重量分布が向きによって変化し、ユーザの気が散ってしまう。
【００３０】
一次流体入口４０の上流には、ファンユニット７０が設けられる。ファンユニット７０は、ファン及びモータを含む。ファンユニット７０は、一次流体入口４０から本体３０内に延びる一次流体流路４００を通じて、一次流体入口４０から本体３０に向けて流体を吸い込み、ハンドル２０と本体３０は接合部９０において接合される。本体３０は、第１の端部３２及び第２の端部３４を有し、一次流体流路４００は、本体３０内を本体の第２の端部３４に向かい、ヒータ８０の周囲を通って一次流体出口４４０まで続き、ファンユニットによって吸い込まれた流体は、ここで一次流体流路４００から出る。一次流体流路４００は直線ではなく、ハンドル２０内では第１の方向に進み、本体３０内では第１の方向と直交する第２の方向に進む。
【００３１】
本体３０は、外壁３６０及び内側ダクト３１０を含む。一次流体流路４００は、ハンドル２０と本体３０との接合部９０から本体に沿って、外壁３６０と内側ダクト３１０の間を本体３０の第２の端部３４における一次流体出口４４０に向かって延びる。
【００３２】
内壁２６０は、外壁３６０内を延びる。内壁２６０は、少なくとも部分的に一次流体出口４４０を定め、本体３０の第２の端部３４から内側ダクト３１０と外壁３６０との間に延びる。
【００３３】
本体内には別の流体流路も設けられ、この流れはファンユニット又はヒータによって直接処理されず、ヘアドライヤ内の一次流を形成するファンユニットの作用によってヘアドライヤに吸い込まれる。この流体流は、一次流体流路４００内を流れる流体によってヘアドライヤ内に取り込まれる。
【００３４】
本体の第１の端部３２は、流体入口３２０を含み、本体の第２の端部３４は、流体出口３４０を含む。流体入口３２０及び流体出口３４０は、本体内を本体に沿って延びる、本体３０の内壁である内側ダクト３１０によって少なくとも部分的に定められる。流体流路３００は、内側ダクト３１０内を流体入口３２０から流体出口３４０に延びる。本体３０の第１の端部３２では、外壁３６０と内側ダクト３１０との間に側壁３５０が広がる。この側壁３５０は、少なくとも部分的に流体入口３２０を定める。一次流体出口４４０は環状であり、流体流路を取り囲む。
【００３５】
本体３０内の側壁３５０及び流体入口３２０の近くには、ヘアドライヤの制御電子回路を含むＰＣＢ（Printed Circuit Board）７５が存在する。ＰＣＢ７５はリング状であり、内側ダクト３１０と外壁３６０との間で内側ダクト３１０の周囲に延びる。ＰＣＢ７５は、一次流体流路４００と流体連通する。ＰＣＢ７５は、流体流路３００の周囲に延び、内側ダクト３１０によって流体流路３００から分離される。
【００３６】
ＰＣＢ７５は、ヒータ８０の温度及びファンユニット７０の回転速度などのパラメータを制御する。ＰＣＢ７５は、内部配線（図示せず）によってヒータ８０、ファンユニット７０及びケーブル５０に電気的に接続される。ＰＣＢ７５には、例えばユーザが様々な温度設定及び流速から選択を行えるように設けられた制御ボタン６２、６４が接続される。
【００３７】
ＰＣＢ７５の下流にはヒータ８０が存在し、ＰＣＢ７５とヒータ８０との間にはＰＣＢバッフル７００が設けられる。ＰＣＢバッフルは、とりわけヒータ８０がオンになった時にＰＣＢ７５の熱保護を行う。
【００３８】
使用時には、ファンユニット７０の作用によって流体が一次流体流路４００内に吸い込まれ、任意にヒータ８０によって加熱されて一次流体出口４４０から排出される。この処理流により、流体入口３２０において流体流路３００内に流体が取り込まれるようになる。この流体は、本体の第２の端部３４において処理流と合流する。図２に示す例では、この処理流が、流体出口３４０を通じてヘアドライヤから排出される取り込まれた流れを取り囲む環状流として一次流体出口４４０及びヘアドライヤから排出される。従って、ファンユニット及びヒータによって処理された流体は、取り込まれた流れによって増大する。
【００３９】
図３、図４ａ及び図４ｂを具体的に参照すると、ダクト３１０は、内壁２６０と一体成型され、これらは支持リブ１３０を用いて共に接続される。内壁２６０は、一次流体流路４００内を流れる流体を一次流体出口４４０の方に向かわせる。本体３０は、ハンドルの長手方向軸Ｘ−Ｘと平行に延びる前面３４０を第２の端部３４に含む。
【００４０】
外壁３６０は、２つの部分で形成される。第１の端部３２から第２の端部３４までは、第１の部分３３０が２つの区分の形で延びる。第１の端部３２からは、本体３０の中心長手方向軸Ｙ−Ｙの周囲で概ね管状である第１の区分３６２が延びる。第２の端部３４からは、第２の区分３６４が延び、本体３０の直径は第２の端部３４に向かって減少するので、第２の区分３６４は、本体３０の長手方向軸Ｙ−Ｙに対して角度を成す。前面３４０は、本体３０の長手方向軸と直交する。第２の部分３４２は、前面３４０の周囲に広がる環状部を形成する。
【００４１】
内壁２６０は、ヒータ８０の下流端の周囲で半径方向に広がる。内壁２６０の半径方向内面２６０ａは、ヒータ８０から排出された流体を流体出口４４０の方に向ける。本体３０の内壁２６０と外壁３６０との間には、ガスケット１１６が設けられる。このガスケット１１６は、その異なる機能部から多くの機能をもたらす。
【００４２】
まず、ガスケット１１６は、外壁３６０と内壁２６０との間にシール１２０を提供する。この例では、シール１２０が、ガスケット１１６の外面１１６ｂの周囲でガスケット１１６から外壁３６０の内面３６０ａに向かって半径方向に延びるリップシール１２２である。このシール１２０は、ヒータ８０から排出された流体が一次流体出口４４０以外の、例えば外壁３６０の第１の部分３３０と第２の部分３４２との間などのいずれの箇所からも流出しないように防ぐ流体シールである。
【００４３】
ガスケット１１６の上流端１１８からは、この実施形態ではガスケット１１６の上流端１１８の周囲で半径方向に延びるリップシール１２６であるさらなるシール１２４が延びる。さらなるシール１２４は、外壁３６０の第２の部分３４２を外壁３６０の第１の部分３３０に対して付勢するように適合される。外壁３６０の第１の部分３３０は、前面３４０に、本体３０の長手方向軸Ｙ−Ｙに向かって半径方向内向きに延びる突出部３３２を有する。第２の部分３４２には、第２の部分３４２の最大直径の周囲で半径方向に広がるフランジ３４４が設けられている。第２の部分３４２は、内壁２６０、突出部３３２及びさらなるシール１２４によって適所に保持される。
【００４４】
１つの実施形態では、第２の部分３４２が金属材料で形成され、例えば集中ノズル又は拡散ノズルなどのノズルを機器に取り付ける取り付けシステムの一部を形成する。さらなるシール１２４は、第２の部分３４２の正しい位置付けを確実にし、ノイズを生じ得る第２の部分３４２の動きを防ぐ。
【００４５】
ガスケット１１６は、外壁３６０と協働して外壁３６０内における内壁２６０の同心性を維持する中心化機能部１３０をさらに含む。この実施形態では、中心化機能部１３０が、中心化機能部１３０と外壁３６０の内面３６０ａとの間の接触を最小化するように湾曲する。外壁３６０の内面３６０ａには、内面３６０ａから半径方向内向きに延びる４つのリブ３７０が設けられる（図５）。これらの４つのリブ３７０は、内面３６０ａの周囲で半径方向に離間する。
【００４６】
当業者には、３つのリブ、又は４つよりも多くのリブを使用することもできるが、対称的なシステムをもたらすという理由で４つが好ましいことが明らかであろう。
【００４７】
ガスケット１１６の異なる機能が実現されるようにガスケット１１６を本体３０内の正しい場所に配置するために、ガスケット１１６は内壁２６０に接続される。内壁２６０は、内壁２６０の外面２６０ｂから離れて外壁３６０に向かって半径方向に延びるフランジ２６４を有する。
【００４８】
ガスケット１１６は、突出部１３２と、突出部１３２の上流の凹部１３４とを含むことにより、ガスケット１１６を内壁２６０に取り付けた時に、突出部１３２が必然的にフランジ２６４上を通過してフランジ２６４を凹部１３４内に固定できるようになる。フランジ２６４は、上流面２６６及び下流面２６８を有し、これらの２つの面は、凹部１３４の上流面１３６及び下流面１３８とそれぞれ嵌合する。
【００４９】
ヘアドライヤに関して本発明を詳細に説明したが、本発明は、流体を吸い込んでこの流体を機器から流出させるように導くあらゆる機器に適用可能である。
【００５０】
この機器は、ヒータの有無に関わらず使用することができ、流体の高速流出作用は乾燥効果を有する。
【００５１】
一般に、機器内を流れる流体は空気であるが、数種類又は一種類の気体の異なる組み合わせであってもよく、機器の性能、或いは出力が向けられる毛髪などの物体及びそのスタイリングに機器が与える影響を改善する添加物を含むこともできる。
【００５２】
本発明は、上述した詳細な説明に限定されるものではない。当業者には、変形例が明らかであろう。
【符号の説明】
【００５３】
１１６  ガスケット
１１６ｂ  外面
１１８  上流端
１２０  シール
１２２  リップシール
１２４  シール
１２６  リップシール
１３０  中心化機能部
１３２  突出部
１３４  凹部
１３６  凹部の上流面
１３８  凹部の下流面
【図１】
0006416173.tif 000002
【図２】
0006416173.tif 000003
【図３】
0006416173.tif 000004
【図４ａ】
0006416173.tif 000005
【図４ｂ】
0006416173.tif 000006
【図５】
0006416173.tif 000007